(57)【要約】【課題】筐体部を破損させることなく転倒を抑制するとともに、部品点数の増加を抑制することが可能なブラウン管テレビジョンを提供する。【解決手段】このブラウン管テレビジョンでは、絶縁性の樹脂により形成された転倒抑制用バンド８を備えている。この転倒抑制用バンド８は、ブラウン管３に取り付けられた金属製のフレーム６の上部の両方の角部に設けられた取付部６ｂに掛けられる。また、転倒抑制用バンド８の両端部は、後側筐体部２ｂの背面に設けた孔部２ｃから引き出されている。転倒抑制用バンド８の引き出された両端部には、係合部８ｃおよび８ｄとフック部８ｅおよび８ｆとが設けられ、係合部８ｃおよび８ｄとフック部８ｅおよび８ｆとがそれぞれ係合することにより環状の固定部８ｇが作られる。その環状の固定部８ｇを、テレビ台５にネジ９で固定することにより、テレビジョン本体１の転倒を抑制する。【選択図】図３
2007036553.tif 000002
【特許請求の範囲】
【請求項１】
筐体部と、前記筐体部の内部に設置されるブラウン管と、前記ブラウン管の縁部に沿って取り付けられるとともに、前記ブラウン管を前記筐体部の内部に固定するための取付部が角部に一体的に設けられた金属製のフレームと、前記筐体部を載置するためのテレビ台とを備えたブラウン管テレビジョンにおいて、
絶縁性の樹脂により形成された転倒抑制用バンドをさらに備え、
前記筐体部の背面には、孔部が設けられ、
前記転倒抑制用バンドは、前記金属製のフレームの上部の両方の角部に設けられた前記取付部に掛けられるとともに、前記筐体部の背面に設けられた前記孔部から前記転倒抑制用バンドの両端部が外部に引き出され、
引き出された前記転倒抑制用バンドの一方端側には、前記転倒抑制用バンドの他方端側が挿入される内面に係合部を含む挿入部が設けられ、
引き出された前記転倒抑制用バンドの前記他方端側には、前記挿入部の係合部と係合する第１フック部および第２フック部を含むフック部が設けられ、
前記第１フック部は、前記転倒抑制用バンドの前記他方端側の一方表面に設けられ、
前記第２フック部は、前記転倒抑制用バンドの前記他方端側の他方表面に設けられ、
前記第１フック部と前記第２フック部とは、前記転倒抑制用バンドの延びる方向に互いに所定の間隔を隔てて設けられており、
前記挿入部に、前記転倒抑制用バンドの他方端側を挿入した後、再度他方端側を前記挿入部に挿入することにより、前記転倒抑制用バンドを固定するための環状の固定部が作られ、
前記転倒抑制用バンドの前記環状の固定部が、ネジまたはフックによって前記テレビ台に固定される、ブラウン管テレビジョン。
【請求項２】
背面に孔部が設けられた筐体部と、
前記筐体部の内部に設置されるブラウン管と、
前記ブラウン管の縁部に沿って取り付けられるとともに、前記ブラウン管を前記筐体部の内部に固定するための取付部が角部に一体的に設けられた金属製のフレームと、
前記金属製のフレームの前記取付部に掛けられ、かつ、前記筐体部の前記孔部から一部が外部に引き出される絶縁性の転倒抑制用バンドとを備え、
前記転倒抑制用バンドの引き出された一部が、所定の部分に固定される、ブラウン管テレビジョン。
【請求項３】
前記転倒抑制用バンドは、前記金属製のフレームの上部の両方の角部に設けられた前記取付部に掛けられる、請求項２に記載のブラウン管テレビジョン。
【請求項４】
前記転倒抑制用バンドは、絶縁性の樹脂により形成されるとともに、
前記転倒抑制用バンドの両端部は、前記筐体部の背面に設けられた前記孔部から外部に引き出され、
引き出された前記転倒抑制用バンドの一方端側には、前記転倒抑制用バンドの他方端側が挿入される内面に係合部を含む挿入部が設けられるとともに、引き出された前記転倒抑制用バンドの前記他方端側には、前記挿入部の係合部と係合するフック部が設けられ、
前記挿入部に、前記他方端側を挿入した後、再度、前記他方端側を前記挿入部に挿入することにより、前記転倒抑制用バンドを固定するための環状の固定部が作られる、請求項２または３に記載のブラウン管テレビジョン。
【請求項５】
前記転倒抑制用バンドの前記他方端側に設けられた前記フック部は、第１フック部および第２フック部を含み、
前記第１フック部は、前記転倒抑制用バンドの前記他方端側の一方表面に設けられ、
前記第２フック部は、前記転倒抑制用バンドの前記他方端側の他方表面に設けられ、
前記第１フック部と前記第２フック部とは、前記転倒抑制用バンドの延びる方向に互いに所定の間隔を隔てて設けられている、請求項４に記載のブラウン管テレビジョン。
【請求項６】
前記筐体部を載置するためのテレビ台をさらに備え、
前記転倒抑制用バンドの前記環状の固定部は、ネジまたはフックによって前記テレビ台に固定される、請求項４または５に記載のブラウン管テレビジョン。
【発明の詳細な説明】
【技術分野】
【０００１】
この発明は、ブラウン管テレビジョンに関する。
【背景技術】
【０００２】
従来、転倒を抑制するための転倒抑制部材が設けられたブラウン管テレビジョンの構造が知られている（たとえば、特許文献１〜３参照）。
【０００３】
上記特許文献１には、筐体部の正面および背面のそれぞれの両端下部に固定具が取り付けられたブラウン管テレビジョンにおいて、テレビ台（載置台）の前後縁面にブラウン管テレビジョンの筐体部に取り付けられた固定具を係合させることにより転倒を抑制することが可能なブラウン管テレビジョンの構造が記載されている。このブラウン管テレビジョンでは、筐体部の正面および背面のそれぞれの両端下部に設けられた孔部に、固定具に取り付けられたスライド棒が出し入れ可能に挿入されている。また、ブラウン管テレビジョンの筐体部に取り付けられた固定具とテレビ台の縁面との係合時には、スライド棒が、所定の突出量で筐体部から引き出され、そのスライド棒に取り付けられた固定具により、ブラウン管テレビジョンの筐体部がテレビ台に固定される。
【０００４】
また、上記特許文献２および３には、テレビジョン本体の筐体部とテレビジョン本体が載置されるテレビ台とをベルトで連結することにより、転倒を抑制することが可能なブラウン管テレビジョンの構造が記載されている。このブラウン管テレビジョンでは、背面中央下部にバックル受け部が取り付けられており、テレビ台には、ベルトが固定されている。そのベルトの一方端には、筐体部に取り付けられたバックル受け部と連結するバックルアンカー部が設けられている。そして、テレビ台のバックルアンカー部が、筐体部のバックル受け部と連結されることによって、テレビジョン本体の筐体部とテレビ台とが連結される。
【０００５】
しかしながら、上記特許文献１に記載されたブラウン管テレビジョンでは、筐体部に取り付けられた固定具がテレビ台の縁面に係合することによって、テレビジョン本体がテレビ台に固定されるため、テレビジョン本体およびテレビ台に振動や衝撃が加わった場合、通常、樹脂製である筐体部のスライド棒が固定される部分に集中的に荷重が加わるという不都合がある。このため、筐体部のスライド棒が固定される部分が破損する場合があるという不都合がある。
【０００６】
また、上記特許文献２および３に記載されたブラウン管テレビジョンでは、筐体部の背面中央下部のバックル受け部とテレビ台のバックルアンカー部とを連結しているため、テレビジョン本体の前方への転倒を抑制することができる一方、テレビジョン本体の前方方向に荷重が加わった場合に、通常、樹脂製である筐体部のバックル受け部の取付部に集中的に荷重が加わるという不都合がある。このため、上記特許文献１と同様、筐体部のバックル受け部が取り付けられている部分が破損する場合があるという不都合がある。
【０００７】
そこで、従来、通常、樹脂製である筐体部の一部に集中的な荷重が加わるのを防止するために、筐体部とテレビ台とをテープ部材で縛ることにより、筐体部とテレビ台とを固定するブラウン管テレビジョンが提案されている（たとえば、特許文献４参照）。
【０００８】
図１４は、上記特許文献４において提案された従来のブラウン管テレビジョンの全体斜視図である。図１５は、図１４に示した従来のブラウン管テレビジョンのベルトを取り外した状態の全体斜視図である。図１６は、図１４に示した従来のブラウン管テレビジョン
の正面図である。図１７は、図１４に示した従来のブラウン管テレビジョンの側面図である。図１８は、図１６のＡ部の拡大図である。図１４〜図１８を参照して、上記特許文献４において提案された従来のブラウン管テレビジョンの構造について説明する。
【０００９】
図１４に示すように、上記特許文献４において提案された従来のブラウン管テレビジョンでは、キャスタ１０１ａ付きのテレビ台１０１に載置されるテレビジョン本体１０２の上面に、厚みが小さく、かつ、幅が大きい軟質ビニールからなる横テープ部材１０３および縦テープ部材１０４を１本ずつ接着して構成される。横テープ部材１０３および縦テープ部材１０４は、それぞれ、下端側が連結固定部材１０５に取り外し可能に連結されている。この横テープ部材１０３は、図１４に示すように、テレビジョン本体１０２の上面および左右側面に沿って配置され、その下端側がテレビ台１０１の左右側面の外側に位置している。この横テープ部材１０３は、図１５に示すように、テレビジョン本体１０２の上面の中央部１０２、上面と左右側面との角部１０２ｂおよび左右側面の下端部１０２ｃに両面接着テープ１０６を介して接着されている。
【００１０】
また、図１４に示すように、縦テープ部材１０４は、テレビジョン本体１０２の上面および背面に沿って配置されている。そして、その縦テープ部材１０４の下端側は、図１７に示すように、テレビ台１０１の背面の外側に位置している。また、縦テープ部材１０４は、テレビジョン本体１０２の上面の中央部１０２ａ（図１５参照）に両面接着テープ１０６を介して接着されている。また、図１４に示すように、縦テープ部材１０４の一端側と横テープ部材１０３の長手方向の中央側とは、テレビジョン本体１０２の上面で接着材を介して重ね合わされて連結されている。
【００１１】
また、連結固定部材１０５は、図１５〜図１７に示すように、厚みが小さく、かつ、幅が大きい軟質ビニールよりなる連結テープ部材１０５ａと、連結テープ部材１０５ａの一方端に取り付けられた連結金具１０５ｂとを含む。そして、図１８に示すように、連結テープ部材１０５ａの他方端がベニヤ板製の固定部材１０７を介して２本の釘１０８により床面Ｆに固定されている。
【００１２】
次に、図１５〜図１７を参照して、図１４に示した従来のブラウン管テレビジョンをテレビ台１０１に固定する方法について説明する。まず、連結固定部材１０５が床面Ｆに固定された位置に、テレビ台１０１を設置する。次に、テレビ台１０１にテレビジョン本体１０２を載置する。そして、テレビジョン本体１０２に設けられた横テープ部材１０３および縦テープ部材１０４のそれぞれの下端側を、連結固定部材１０５の連結金具１０５ｂと連結することにより、テレビジョン本体１０２とテレビ台１０１とを固定する。これにより、テレビジョン本体１０２に振動および衝撃が加わった場合でも、テレビジョン本体１０２に両面接着テープ１０６で貼り付けられた横テープ部材１０３および縦テープ部材１０４が、床面Ｆに固定された連結固定部材１０５と連結されているため、テレビジョン本体１０２とテレビ台１０１とが固定されて、テレビジョン本体１０２の転倒が抑制される。また、横テープ部材１０３および縦テープ部材１０４は、テレビジョン本体１０２の筐体部の広い範囲に貼り付けられているので、テレビジョン本体１０２の転倒抑制時に、テレビジョン本体１０２の筐体部の一部に集中的に荷重が加わるのが抑制される。これにより、テレビジョン本体１０２の筐体部が破損するのを抑制することが可能になる。
【特許文献１】特開２００４−８０７００号公報
【特許文献２】実開平５−５０８８０号公報
【特許文献３】特開平５−６８２２０号公報
【特許文献４】実用新案登録第３０９８２９８号公報
【発明の開示】
【発明が解決しようとする課題】
【００１３】
しかしながら、図１４に示した従来のブラウン管テレビジョンでは、テレビジョン本体１０２とテレビ台１０１とを固定するために、横テープ部材１０３、縦テープ部材１０４、両面接着テープ１０６、および、連結金具１０５ｂを有する３本の連結固定部材１０５などの多数の部材を必要とするため、部品点数が増加するという問題点がある。
【００１４】
この発明は、上記のような課題を解決するためになされたものであり、この発明の１つの目的は、筐体部を破損させることなく転倒を抑制するとともに、部品点数の増加を抑制することが可能なブラウン管テレビジョンを提供することである。
【課題を解決するための手段】
【００１５】
この発明の第１の局面におけるブラウン管テレビジョンは、筐体部と、筐体部の内部に設置されるブラウン管と、ブラウン管の縁部に沿って取り付けられるとともに、ブラウン管を筐体部の内部に固定するための取付部が角部に一体的に設けられた金属製のフレームと、筐体部を載置するためのテレビ台とを備えたブラウン管テレビジョンにおいて、絶縁性の樹脂により形成された転倒抑制用バンドをさらに備え、筐体部の背面には、孔部が設けられ、転倒抑制用バンドは、金属製のフレームの上部の両方の角部に設けられた取付部に掛けられるとともに、筐体部の背面に設けられた孔部から転倒抑制用バンドの両端部が外部に引き出され、引き出された転倒抑制用バンドの一方端側には、転倒抑制用バンドの他方端側が挿入される内面に係合部を含む挿入部が設けられ、引き出された転倒抑制用バンドの他方端側には、挿入部の係合部と係合する第１フック部および第２フック部を含むフック部が設けられ、第１フック部は、転倒抑制用バンドの他方端側の一方表面に設けられ、第２フック部は、転倒抑制用バンドの他方端側の他方表面に設けられ、第１フック部と第２フック部とは、転倒抑制用バンドの延びる方向に互いに所定の間隔を隔てて設けられており、挿入部に、転倒抑制用バンドの他方端側を挿入した後、再度他方端側を挿入部に挿入することにより、転倒抑制用バンドを固定するための環状の固定部が作られ、転倒抑制用バンドの環状の固定部が、ネジまたはフックによってテレビ台に固定される。
【００１６】
この第１の局面によるブラウン管テレビジョンでは、上記のように、転倒抑制用バンドを設けるとともに、その転倒抑制用バンドを、ブラウン管を筐体内部に固定するための金属製の取付部に掛けて、筐体部の孔部から一部を引き出し、かつ、その引き出された部分を所定の部分に固定することにより、転倒抑制用バンドと、その転倒抑制用バンドの一部を固定するためのネジまたはフックなどの固定部品との２つの部品のみにより、テレビジョン本体の転倒を抑制することができるので、テレビジョン本体の転倒を抑制するために多数の部材からなる転倒抑制用部材を筐体部に設ける場合に比べて、部品点数が増加するのを抑制することができる。また、転倒抑制用バンドを、金属製のフレームの取付部に掛けるとともに、筐体部の孔部からその両端部を外部に引き出し、引き出した両端部をテレビ台に固定することにより、テレビジョン本体の転倒抑制時に生じた荷重は、金属製のフレームに加わるので、筐体部の部材強度が弱い場合でも、筐体部を破損させることなく、テレビジョン本体の転倒を抑制することができる。また、転倒抑制用バンドを絶縁性の樹脂により形成することにより、高電圧となるブラウン管の近くに転倒抑制用バンドを配置した場合でも、転倒抑制用バンドが帯電することがないので、ユーザーが転倒抑制用バンドをテレビ台に固定する際に、安全に固定することができる。また、転倒抑制用バンドを、金属製のフレームの上部の両方の角部に設けられた取付部に掛けることにより、テレビジョン本体の転倒時に支点となる筐体部の前面下端部からの距離が、転倒抑制用バンドを金属製のフレームの下部の両方の角部に設けられた取付部に掛けた場合に比べて、大きくなるので、小さい力でテレビジョン本体の転倒を抑制することができる。その結果、テレビジョン本体の転倒をより確実に抑制することができる。
【００１７】
また、第１の局面では、転倒抑制用バンドの一方端側に、転倒抑制用バンドの他方端側
が挿入される内面に係合部を含む挿入部を設けるとともに、転倒抑制用バンドの他方端側に、挿入部の係合部と係合するフック部を設け、挿入部に、他方端側を挿入した後、再度、他方端側を挿入部に挿入することにより、転倒抑制用バンドを固定するための環状の固定部を作るように構成することによって、転倒抑制用バンドの筐体部から外部に引き出した部分に、容易に環状の固定部を作ることができるので、作られた環状の固定部により、転倒抑制用バンドを容易に所定の部分に固定することができる。また、転倒抑制用バンドの他方端側に設けられたフック部を、第１フック部および第２フック部からなるように構成し、第１フック部を、転倒抑制用バンドの他方端側の一方表面に設け、第２フック部を、転倒抑制用バンドの他方端側の他方表面に設け、第１フック部と第２フック部とを、転倒抑制用バンドの延びる方向に互いに所定の間隔を隔てて設けるように構成することにより、転倒抑制用バンドの他方端側が挿入部に挿入された際に、第１フック部が挿入部の係合部と係合し、再度、他方端側を挿入部に同方向から挿入することにより、転倒抑制用バンドを捻ることなく、第２フック部を挿入部の係合部と係合させることができるので、転倒抑制用バンドを捻るのが困難な場合でも、容易に環状の固定部を作ることができる。また、転倒抑制用バンドの環状の固定部を、ネジまたはフックによって、テレビ台に固定するように構成することにより、テレビジョン本体をテレビ台に載置した際に、転倒抑制用バンドの環状の固定部を容易にテレビ台に固定することができるので、テレビジョン本体に振動や衝撃が加わった場合でも、テレビジョン本体の転倒を容易に抑制することができる。
【００１８】
この発明の第２の局面におけるブラウン管テレビジョンは、背面に孔部が設けられた筐体部と、筐体部の内部に設置されるブラウン管と、ブラウン管の縁部に沿って取り付けられるとともに、ブラウン管を筐体部の内部に固定するための取付部が角部に一体的に設けられた金属製のフレームと、金属製のフレームの取付部に掛けられ、かつ、筐体部の孔部から一部が外部に引き出される絶縁性の転倒抑制用バンドとを備え、転倒抑制用バンドの引き出された一部が、所定の部分に固定される。
【００１９】
この発明の第２の局面におけるブラウン管テレビジョンでは、上記のように、転倒抑制用バンドを設けるとともに、その転倒抑制用バンドを、ブラウン管を筐体内部に固定するための金属製の取付部に掛けて、筐体部の孔部から一部を引き出し、かつ、その引き出された部分を所定の部分に固定することにより、転倒抑制用バンドと、その転倒抑制用バンドの一部を固定するためのネジまたはフックなどの固定部品との２つの部品のみにより、テレビジョン本体の転倒を抑制することができるので、テレビジョン本体の転倒を抑制するために多数の部材からなる転倒抑制用部材を筐体部に設ける場合に比べて、部品点数が増加するのを抑制することができる。また、転倒抑制用バンドを、金属製のフレームの取付部に掛けるとともに、筐体部の孔部からその両端部を外部に引き出し、引き出した両端部をテレビ台に固定することにより、テレビジョン本体の転倒抑制時に生じた荷重は、金属製のフレームに加わるので、筐体部の部材強度が弱い場合でも、筐体部を破損させることなく、テレビジョン本体の転倒を抑制することができる。また、転倒抑制用バンドを絶縁性の部材で形成することにより、高電圧となるブラウン管の近くに転倒抑制用バンドを配置した場合でも、転倒抑制用バンドが帯電することがないので、ユーザーが転倒抑制用バンドを所定の部分に固定する際に、安全に固定することができる。
【００２０】
上記第２の局面によるブラウン管テレビジョンにおいて、好ましくは、転倒抑制用バンドは、金属製のフレームの上部の両方の角部に設けられた取付部に掛けられる。このように構成すれば、テレビジョン本体の転倒時に支点となる筐体部の前面下端部からの距離が、転倒抑制用バンドを金属製のフレームの下部の両方の角部に設けられた取付部に掛けた場合に比べて、大きくなるので、小さい力でテレビジョン本体の転倒を抑制することができる。その結果、テレビジョン本体の転倒をより確実に抑制することができる。
【００２１】
上記第２の局面によるブラウン管テレビジョンにおいて、好ましくは、転倒抑制用バンドは、絶縁性の樹脂により形成されるとともに、転倒抑制用バンドの両端部は、筐体部の背面に設けられた孔部から外部に引き出され、引き出された転倒抑制用バンドの一方端側には、転倒抑制用バンドの他方端側が挿入される内面に係合部を含む挿入部が設けられるとともに、引き出された転倒抑制用バンドの他方端側には、挿入部の係合部と係合するフック部が設けられ、挿入部に、他方端側を挿入した後、再度、他方端側を挿入部に挿入することにより、転倒抑制用バンドを固定するための環状の固定部が作られる。このように構成すれば、転倒抑制用バンドに、鈎形状の係合部を含む挿入部および係合部と係合するフック部を設けたとしても、部品点数が増加するのを抑制することができる。また、転倒抑制用バンドの筐体部から外部に引き出した部分に、容易に環状の固定部を作ることができるので、作られた環状の固定部によって、転倒抑制用バンドを容易に所定の部分に固定することができる。
【００２２】
上記第２の局面によるブラウン管テレビジョンにおいて、好ましくは、転倒抑制用バンドの他方端側に設けられたフック部は、第１フック部および第２フック部を含み、第１フック部は、転倒抑制用バンドの他方端側の一方表面に設けられ、第２フック部は、転倒抑制用バンドの他方端側の他方表面に設けられ、第１フック部と第２フック部とは、転倒抑制用バンドの延びる方向に互いに所定の間隔を隔てて設けられている。このように構成すれば、転倒抑制用バンドの他方端側が挿入部に挿入された際に、第１フック部が挿入部の係合部と係合し、再度、他方端側を挿入部に同方向から挿入することにより、転倒抑制用バンドを捻ることなく、第２フック部を挿入部の係合部と係合させることができるので、転倒抑制用バンドを捻るのが困難な場合でも、容易に環状の固定部を作ることができる。
【００２３】
上記第２の局面によるブラウン管テレビジョンにおいて、好ましくは、筐体部を載置するためのテレビ台をさらに備え、転倒抑制用バンドの環状の固定部は、ネジまたはフックによってテレビ台に固定される。このように構成すれば、テレビジョン本体をテレビ台に載置した際に、転倒抑制用バンドの環状の固定部を容易にテレビ台に固定することができるので、テレビジョン本体に振動や衝撃が加わった場合でも、テレビジョン本体の転倒を容易に抑制することができる。
【発明を実施するための最良の形態】
【００２４】
以下、本発明を具体化した実施形態を図面に基づいて説明する。
【００２５】
図１は、本発明の一実施形態によるブラウン管テレビジョンの背面側から見た全体斜視図である。図２は、図１に示した本発明の一実施形態によるブラウン管テレビジョンの正面側から見た全体斜視図である。図３は、図１に示した本発明の一実施形態によるブラウン管テレビジョンの側面図である。図４〜図１３は、図１の本発明の一実施形態によるブラウン管テレビジョンの詳細構造を説明するための図である。図１〜図１３を参照して、本発明の一実施形態によるブラウン管テレビジョンの構造について説明する。
【００２６】
本発明の一実施形態によるブラウン管テレビジョンでは、図１〜図３に示すように、前側筐体部２ａと後側筐体部２ｂとによって筐体が構成されている。また、ブラウン管３の映像表示部３ａが前側筐体部２ａに配置されるように、前側筐体部２ａの内部側からブラウン管３が取り付けられている。また、前側筐体部２ａの正面側の両端側下部には、音声を出力するスピーカ部４（図２および図４参照）が取り付けられている。また、テレビジョン本体１は、キャスタ５ａ付きのテレビ台５の載置板５ｂ上に載置されている。また、図３〜図５に示すように、ブラウン管３の縁部には、金属製のフレーム６が取り付けられており、金属製のフレーム６の四隅には、穴部６ａを有する金属製の取付部６ｂが一体的に設けられている。ブラウン管３は、金属製のフレーム６に設けられた取付部６ｂの穴部６ａを介して前側筐体部２ａの内部側にボルト７で固定される。なお、ブラウン管テレビ
ジョンでは、図３に示すように、テレビジョン本体１の重量の大部分をブラウン管３の重量が占めるため、テレビジョン本体１の重心Ｇの位置がテレビジョン本体１の前面側に位置している。このため、テレビジョン本体１は、振動や衝撃が加わった場合には、前側筐体部２ａの正面下部を支点部Ａ１として前面側（矢印Ｂ１方向）に転倒しやすい。
【００２７】
ここで、本実施形態では、図３〜図６に示すように、テレビジョン本体１には、絶縁性の樹脂からなる転倒抑制用バンド８が取り付けられている。この樹脂製の転倒抑制用バンド８は、図３および図４に示すように、ブラウン管３に取り付けられた金属製のフレーム６の上部両端側の２つの取付部６ｂに掛けられている。この金属製のフレーム６の上部両端側の取付部６ｂは、金属製のフレーム６の取付部６ｂのうち、前側筐体部２ａの支点部Ａ１から、最も遠い場所に位置している。また、図１および図１１に示すように、後側筐体部２ｂの背面中央下部には、２つの孔部２ｃが設けられており、転倒抑制用バンド８の両端部が、後側筐体部２ｂの孔部２ｃから、それぞれ、後側筐体部２ｂの外部に引き出される。
【００２８】
また、樹脂製の転倒抑制用バンド８は、図７および図８に示すように、バンド部８ａと挿入部８ｂとを含み、挿入部８ｂは、バンド部８ａの一方の端部に設けられている。また、挿入部８ｂの内部には、転倒抑制用バンド８の延びる方向に対して両端側に、係合部８ｃおよび８ｄが設けられている。
【００２９】
ここで、本実施形態では、図７および図８に示すように、バンド部８ａの他方の端部側の両面に、挿入部８ｂの内部に設けられた係合部８ｃおよび８ｄと、それぞれ、係合する複数のフック部８ｅおよび複数のフック部８ｆが設けられている。なお、フック部８ｅおよびフック部８ｆは、それぞれ、本発明の「第１フック部」および「第２フック部」の一例である。また、フック部８ｅは、挿入部８ｂの挿入方向である矢印Ｃ１方向と同じ方向の面に設けられており、フック部８ｆは、矢印Ｃ１方向と反対面に設けられている。また、フック部８ｅとフック部８ｆとは、図７および図８に示すように、転倒抑制用バンド８が延びる方向に互いに所定の間隔Ｘを隔てて設けられている。
【００３０】
次に、図３、図４および図９〜図１３を参照して、テレビジョン本体１をテレビ台５に固定する方法について説明する。まず、図３および図４に示すように、テレビジョン本体１の製造段階で、転倒抑制用バンド８を、ブラウン管３の縁部に沿って取り付けられた金属製のフレーム６の上部両端側の２つの取付部６ｂに掛ける。その後、図１１に示すように、金属製のフレーム６に掛けた転倒抑制用バンド８の両端部を、後側筐体部２ｂの背面中央下部に設けた２つの孔部２ｃから、それぞれ、後側筐体部２ｂの外部に引き出す。次に、図９および図１０に示すように、引き出した転倒抑制用バンド８のバンド部８ａの他方端を矢印Ｃ１方向から挿入部８ｂに挿入する。これにより、バンド部８ａのフック部８ｅは、挿入部８ｂの係合部８ｃと係合した状態となる。そして、この状態で、再度、バンド部８ａの他方端を矢印Ｃ１方向から挿入部８ｂに挿入する。これにより、バンド部８ａのフック部８ｆが、挿入部８ｂの係合部８ｄと係合し、転倒抑制用バンド８の外部に引き出された両端部に環状の固定部８ｇ（図１１参照）がテレビジョン本体１の製造段階で作られる。この後、ユーザーにより、図１１〜図１３に示すように、テレビジョン本体１がテレビ台５の載置板５ｂの上に載置され、製造段階で作られたテレビジョン本体１の環状の固定部８ｇが、テレビ台５の載置板５ｂにネジ９またはフック１０によって固定される。これにより、図１に示したように、テレビジョン本体１とテレビ台５とが固定される。なお、図３に示すように、転倒抑制用バンド８は、テレビ台５に固定された状態で、側方から見てブラウン管３の重心Ｇの上方を通るように配置される。
【００３１】
本実施形態では、上記のように、テレビジョン本体１に、転倒抑制用バンド８を設けるとともに、その転倒抑制用バンド８を、ブラウン管３を前側筐体部２ａの内部に固定する
ための金属製の取付部６ｂに掛けて、後側筐体部２ｂの孔部２ｃから一部を引き出し、かつ、その引き出された部分をテレビ台５の載置板５ｂに固定することにより、転倒抑制用バンド８と、その転倒抑制用バンド８の一部を固定するためのネジ９またはフック１０などの固定部品との２つの部品のみにより、テレビジョン本体１の転倒を抑制することができるので、テレビジョン本体１の転倒を抑制するために多数の部材からなる転倒抑制用部材を筐体に設ける場合に比べて、部品点数が増加するのを抑制することができる。
【００３２】
また、本実施形態では、転倒抑制用バンド８を、金属製のフレーム６の取付部６ｂに掛けるとともに、後側筐体部２ｂの孔部２ｃからその両端部を外部に引き出し、引き出した両端部をテレビ台５の載置板５ｂに固定することにより、テレビジョン本体１の転倒抑制時に生じた荷重は、金属製のフレーム６に加わるので、筐体の部材強度が弱い場合でも、筐体を破損させることなく、テレビジョン本体１の転倒を抑制することができる。
【００３３】
また、本実施形態では、転倒抑制用バンド８を絶縁性の樹脂により成形することにより、高電圧となるブラウン管３の近くに転倒抑制用バンド８を配置した場合でも、転倒抑制用バンド８が帯電することがないので、ユーザーが転倒抑制用バンド８の環状の固定部８ｇをテレビ台５の載置板５ｂに固定する際に、安全に固定することができる。
【００３４】
また、本実施形態では、転倒抑制用バンド８を、金属製のフレーム６の上部の両方の角部に設けられた取付部６ｂに掛けることにより、テレビジョン本体１の転倒時に支点となる前側筐体部２ａの前面下端部である支点部Ａ１からの距離が、転倒抑制用バンド８を金属製のフレーム６の下部の両方の角部に設けられた取付部６ｂに掛けた場合に比べて、大きくなるので、小さい力でテレビジョン本体１の転倒を抑制することができる。その結果、テレビジョン本体１の転倒をより確実に抑制することができる。
【００３５】
また、本実施形態では、転倒抑制用バンド８の一方端側に、転倒抑制用バンド８の他方端側が挿入される内面に係合部８ｃおよび８ｄを含む挿入部８ｂを設けるとともに、転倒抑制用バンド８の他方端側に、挿入部８ｂの係合部８ｃおよび８ｄと、それぞれ係合する複数のフック部８ｅおよび複数のフック部８ｆを設け、挿入部８ｂに、他方端側を矢印Ｃ１方向から挿入した後、再度、他方端側を矢印Ｃ１方向から挿入部８ｂに挿入することにより、転倒抑制用バンド８を固定するための環状の固定部８ｇを作るように構成することによって、転倒抑制用バンド８の後側筐体部２ｂの孔部２ｃから外部に引き出した部分に、容易に環状の固定部８ｇを作ることができるので、作られた環状の固定部８ｇにより、転倒抑制用バンド８を容易にテレビ台５の載置板５ｂに固定することができる。
【００３６】
また、本実施形態では、転倒抑制用バンド８の他方端側にフック部８ｅおよび８ｆを設けるとともに、フック部８ｅを、挿入部８ｂの挿入方向である矢印Ｃ１方向と反対面に設け、フック部８ｆを、矢印Ｃ１方向と同じ方向の面に設け、フック部８ｅとフック部８ｆとを転倒抑制用バンド８が延びる方向に互いに所定の間隔Ｘ隔てて設けるように構成することにより、転倒抑制用バンド８の他方端側が挿入部８ｂに矢印Ｃ１方向から挿入された際に、フック部８ｅが挿入部８ｂの係合部８ｃと係合し、再度、他方端側を挿入部８ｂに矢印Ｃ１方向から挿入することにより、転倒抑制用バンド８を捻ることなく、フック部８ｆを挿入部８ｂの係合部８ｄと係合させることができるので、転倒抑制用バンド８を捻るのが困難な場合でも、容易に環状の固定部８ｇを作ることができる。
【００３７】
また、本実施形態では、転倒抑制用バンド８の環状の固定部８ｇを、ネジ９またはフック１０によって、テレビ台５に固定するように構成することにより、テレビジョン本体１をテレビ台５に載置した際に、転倒抑制用バンド８の環状の固定部８ｇを容易にテレビ台５の載置板５ｂに固定することができるので、テレビジョン本体１に振動や衝撃が加わった場合でも、テレビジョン本体１の転倒を容易に抑制することができる。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
たとえば、上記実施形態では、転倒抑制用バンドを、金属製のフレームに設けられた上部の両方の角部の２つの取付部に掛けるように構成した例を示したが、本発明はこれに限らず、金属製のフレームの上部の両方の角部以外の取付部に、転倒抑制用バンドを掛けるようにしてもよい。
【００４０】
また、上記実施形態では、転倒抑制用バンドを、絶縁性の樹脂により形成した例を示したが、本発明はこれに限らず、絶縁性であれば樹脂以外の材料で転倒抑制用バンドを作製してもよい。たとえば、ガラス繊維などによって作製するようにしてもよい。
【００４１】
また、上記実施形態では、転倒抑制用バンドの一方端側に係合部を有する挿入部を設け、他方端側に挿入部の係合部と係合するフック部を設け、フック部と係合部とを係合させることにより、転倒抑制用バンドの両端部側に転倒抑制用バンドを固定するための環状の固定部を作るように構成した例を示したが、本発明はこれに限らず、転倒抑制用バンドの両端部を所定の場所に固定することができれば、上記以外の方法で、固定部を作るように構成してもよい。たとえば、転倒抑制用バンドの挿入部の内面に突出部を設け、転倒抑制用バンドの他方端側に挿入部の突出部が挿入される穴部を設け、突出部が穴部に挿入されることにより、転倒抑制用バンドの両端部側に転倒抑制用バンドを固定するための固定部を作るようにしてもよい。また、固定部を作らずに転倒抑制用バンドの両端部をそれぞれ所定の場所に固定するようにしてもよい。
【００４２】
また、上記実施形態では、転倒抑制用バンドの他方端側の両面にそれぞれフック部を設け、転倒抑制用バンドを捻ることなく固定部を作ることができるようにした例を示したが、本発明はこれに限らず、転倒抑制用バンドの片面にのみフック部を設け、転倒抑制用バンドを捻ることによって固定部を作るようにしてもよい。
【００４３】
また、上記実施形態では、転倒抑制用バンドの固定部を、テレビ台の載置板にネジまたはフックによって固定する例を示したが、本発明はこれに限らず、テレビ台の載置板以外の部分に転倒抑制用バンドを固定してもよいし、テレビ台以外の部分に転倒抑制用バンドの固定部を固定するようにしてもよい。たとえば、テレビジョン本体の背面の壁面に転倒抑制用バンドを固定するようにしてもよい。また、転倒抑制用バンドの固定部は、ネジまたはフック以外のもので固定するようにしてもよい。たとえば、釘などによって、転倒抑制用バンドの固定部を固定するようにしてもよい。
【図面の簡単な説明】
【００４４】
【図１】本発明の一実施形態によるブラウン管テレビジョンの背面側から見た全体斜視図である。
【図２】図１に示した本発明の一実施形態によるブラウン管テレビジョンの正面側から見た全体斜視図である。
【図３】図１に示した本発明の一実施形態によるブラウン管テレビジョンの側面図である。
【図４】図１に示した本発明の一実施形態によるブラウン管テレビジョンを内面側から見た図である。
【図５】図１に示した本発明の一実施形態によるブラウン管テレビジョンのブラウン管の全体斜視図である。
【図６】図１に示した本発明の一実施形態によるブラウン管テレビジョンの上面図である。
【図７】図１に示した本発明の一実施形態によるブラウン管テレビジョンの転倒抑制用バンドの平面図である。
【図８】図１に示した本発明の一実施形態によるブラウン管テレビジョンの転倒抑制用バンドの側面図である。
【図９】図１に示した本発明の一実施形態によるブラウン管テレビジョンの転倒抑制用バンドの固定部の平面図である。
【図１０】図９の２００−２００線に沿った断面図である。
【図１１】図１に示した本発明の一実施形態によるブラウン管テレビジョンの転倒抑制用バンドの固定部の固定方法を説明するための拡大斜視図である。
【図１２】図１に示した本発明の一実施形態によるブラウン管テレビジョンの転倒抑制用バンドの固定部の固定方法を説明するための側面図である。
【図１３】図１に示した本発明の一実施形態によるブラウン管テレビジョンの転倒抑制用バンドの固定部の固定方法を説明するための側面図である。
【図１４】特許文献４において提案された従来のブラウン管テレビジョンの全体斜視図である。
【図１５】図１４に示した従来のブラウン管テレビジョンのベルトを取り外した状態の全体斜視図である。
【図１６】図１４に示した従来のブラウン管テレビジョンの正面図である。
【図１７】図１４に示した従来のブラウン管テレビジョンの側面図である。
【図１８】図１６のＡ部の拡大図である。
【符号の説明】
【００４５】
１            テレビジョン本体
２ａ          前側筐体部
２ｂ          後側筐体部
２ｃ          孔部
３            ブラウン管
５            テレビ台
５ｂ          載置板
６            金属製のフレーム
６ｂ          取付部
８            転倒抑制用バンド
８ａ          バンド部
８ｂ          挿入部
８ｃ、８ｄ    係合部
８ｅ          フック部（第１フック部）
８ｆ          フック部（第２フック部）
８ｇ          固定部
９            ネジ
【図１】
2007036553.tif 000003
【図２】
2007036553.tif 000004
【図３】
2007036553.tif 000005
【図４】
2007036553.tif 000006
【図５】
2007036553.tif 000007
【図６】
2007036553.tif 000008
【図７】
2007036553.tif 000009
【図８】
2007036553.tif 000010
【図９】
2007036553.tif 000011
【図１０】
2007036553.tif 000012
【図１１】
2007036553.tif 000013
【図１２】
2007036553.tif 000014
【図１３】
2007036553.tif 000015
【図１４】
2007036553.tif 000016
【図１５】
2007036553.tif 000017
【図１６】
2007036553.tif 000018
【図１７】
2007036553.tif 000019
【図１８】
2007036553.tif 000020